(57)【要約】【課題】加熱調理器を使用して調理を行おうとするユーザの外部端末と加熱調理器との通信接続を行うことを利便性よく簡易に行うことを可能とする加熱調理システムを提供する。【解決手段】加熱調理器１と通信し得る複数の外部端末２０が存在する場合に通信対象の外部端末２０を選定するとき、所定の条件に基づいて通信対象の外部端末２０の候補を選定する処理と、当該候補を通信対象の外部端末２０として承認するか否かをユーザに対して要求する処理とを実行し、当該候補を承認する旨の所定の操作が加熱調理器１又は当該候補の外部端末２０で行われた場合に、当該候補を通信対象の外部端末２０として確定し、その外部端末２０と加熱調理器１との通信接続を確立する。【選択図】図１
2019060511.tif 000002
【特許請求の範囲】
【請求項１】
被加熱物を加熱する加熱部を有する加熱調理器と、該加熱調理器のユーザが使用する外部端末であり、該加熱調理器と無線での通信を行い得る一つ以上の外部端末とを備える加熱調理システムであって、
前記外部端末のそれぞれは、前記加熱調理器との通信を開始するとき、該加熱調理器に対して接続要求を送信するように構成されており、
前記加熱調理器は、該加熱調理器と通信を行い得る複数の外部端末から、前記接続要求が受信される場合に、該複数の外部端末のうちの一つを通信対象の外部端末として選定する通信対象決定部を含み、該通信対象決定部で選定した通信対象の外部端末との通信を確立するように構成されており、
前記通信対象決定部は、前記通信対象の外部端末を選定するとき、前記複数の外部端末から、あらかじめ定められた所定の条件に基づいて、前記通信対象の外部端末の候補を選定する処理と、当該候補を前記通信対象の外部端末として承認するか否かを、前記加熱調理器に備えられた報知部から、又は、前記複数の外部端末のうち、当該候補を少なくとも含む一つ以上の外部端末から、ユーザに対して要求する処理とを実行し、当該候補を前記通信対象の外部端末として承認する旨の所定の操作が前記加熱調理器又は当該候補の外部端末で行われた場合に、当該候補を前記通信対象の外部端末として確定するように構成されていることを特徴とする加熱調理システム。
【請求項２】
請求項１記載の加熱調理システムにおいて、
前記所定の条件は、前記複数の外部端末のうち、前記加熱調理器に最も近い外部端末を前記候補として選定するという条件であることを特徴とする加熱調理システム。
【請求項３】
請求項１記載の加熱調理システムにおいて、
前記所定の条件は、前記複数の外部端末のうち、前記通信対象の外部端末としての使用頻度が最も高い外部端末を前記候補として選定するという条件であることを特徴とする加熱調理システム。
【請求項４】
請求項１記載の加熱調理システムにおいて、
前記所定の条件は、前記複数の外部端末のうち、前記通信対象の外部端末としての使用履歴が最も新しい外部端末を前記候補として選定するという条件であることを特徴とする加熱調理システム。
【請求項５】
請求項１〜４のいずれか１項に記載の加熱調理システムにおいて、
前記所定の条件は、あらかじめ用意された複数の条件のなかから、ユーザにより選定された条件であることを特徴とする加熱調理システム。
【請求項６】
請求項１〜５のいずれか１項に記載の加熱調理システムにおいて、
前記通信対象決定部は、前記候補を前記通信対象の外部端末として承認する旨の所定の操作が行われなかった場合には、前記複数の外部端末のうちの一つの外部端末を前記通信対象の外部端末として選択すべき旨を、前記加熱調理器に備えられた報知部から、又は、前記複数の外部端末のそれぞれから、ユーザに対して要求する処理を実行し、該処理に応じてユーザにより選択された一つの外部端末を、前記通信対象の外部端末として確定するように構成されていることを特徴とする加熱調理システム。
【発明の詳細な説明】
【技術分野】
【０００１】
本発明は、加熱調理器と外部端末とを含む加熱調理システムに関する。
【背景技術】
【０００２】
従来、例えば特許文献１に見られるように、コンロ等の加熱調理器と、ユーザのスマートフォン等の外部端末との間で、調理に関する種々の情報を通信し得るようにした加熱調理システムが知られている。この種の加熱調理システムでは、外部端末でユーザが選択した調理メニューにおける加熱調理器の作動を指示する情報を外部端末から加熱調理器に送信したり、加熱調理器の作動状態、機能などを示す情報を加熱調理器から外部端末に送信して、該外部端末で表示させることなどが行われる。
【先行技術文献】
【特許文献】
【０００３】
【特許文献１】特開２０１５−１５８３４５
【発明の概要】
【発明が解決しようとする課題】
【０００４】
ところで、上記の如き加熱調理システムでは、加熱調理器とユーザの外部端末との通信を行うためには、一般に、該外部端末に加熱調理器との通信用のサービスアプリケーションをインストールした上で該外部端末の識別情報等の情報を、該加熱調理器に登録する接続設定作業を事前に行っておく必要がある。この場合、加熱調理器を複数のユーザで使用する場合には、各ユーザの外部端末毎に、上記接続設定作業を行うことで、複数の外部端末の情報が、加熱調理器に登録される。
【０００５】
そして、この種の加熱調理システムの加熱調理器は、その電源が投入された状態で、ある外部端末（サービスアプリケーションが起動された外部端末）から通信接続の要求を受けると、該外部端末が登録されている外部端末であれば、該外部端末との通信接続を自動的に確立するようになっている。
【０００６】
しかしながら、この種の加熱調理システムでは、加熱調理器と、ある外部端末との通信接続が確立された状態では、他の外部端末は該加熱調理器との通信を行うことができないものとなる。このため、該加熱調理器に複数の通信対象の外部端末が登録されている場合、次のような不都合が生じることが判明した。
【０００７】
すなわち、例えば、あるユーザＡが、加熱調理器の使用後に、自身の外部端末のサービスアプリケーションを終了せずに、該外部端末と加熱調理器との通信接続が継続している場合がある。このようにユーザＡの外部端末と加熱調理器との通信接続が維持された状態で、他のユーザＢが加熱調理器を使用した調理を行うべく、該ユーザＢの外部端末のサービスアプリケーションを起動しても、該ユーザＢの外部端末は加熱調理器に通信接続することができない。
【０００８】
あるいは、加熱調理器を使用して調理を行おうとするユーザＢが、加熱調理器の電源を投入したときに、ユーザＢの外部端末だけでなく、他のユーザＡの外部端末のサービスアプリケーションが既に起動している場合がある。そして、この場合、加熱調理器の電源の投入直後に、ユーザＡの外部端末と加熱調理器との通信接続が先に確立してしまう場合がある。この場合にも、調理を行おうとするユーザＢの外部端末は加熱調理器に通信接続することができない。
【０００９】
そして、これらの場合には、調理を行おうとするユーザＢの外部端末と加熱調理器との通信接続を行うためには、ユーザＡのサービスアプリケーションを終了してもらったり、加熱調理器の電源を投入し直す等の処置が必要となり、利便性が損なわれるという不都合がある。
【００１０】
本発明はかかる背景に鑑みてなされたものであり、加熱調理器を使用して調理を行おうとするユーザの外部端末と、加熱調理器との通信接続を行うことを利便性よく簡易に行うことを可能とする加熱調理システムを提供することを目的とする。
【課題を解決するための手段】
【００１１】
本発明の加熱調理システムは、上記の目的を達成するために、被加熱物を加熱する加熱部を有する加熱調理器と、該加熱調理器のユーザが使用する外部端末であり、該加熱調理器と無線での通信を行い得る一つ以上の外部端末とを備える加熱調理システムであって、
前記外部端末のそれぞれは、前記加熱調理器との通信を開始するとき、該加熱調理器に対して接続要求を送信するように構成されており、
前記加熱調理器は、該加熱調理器と通信を行い得る複数の外部端末から、前記接続要求が受信される場合に、該複数の外部端末のうちの一つを通信対象の外部端末として選定する通信対象決定部を含み、該通信対象決定部で選定した通信対象の外部端末との通信接続を確立するように構成されており、
前記通信対象決定部は、前記通信対象の外部端末を選定するとき、前記複数の外部端末から、あらかじめ定められた所定の条件に基づいて、前記通信対象の外部端末の候補を選定する処理と、当該候補を前記通信対象の外部端末として承認するか否かを、前記加熱調理器に備えられた報知部から、又は、前記複数の外部端末のうち、当該候補を少なくとも含む一つ以上の外部端末から、ユーザに対して要求する処理とを実行し、当該候補を前記通信対象の外部端末として承認する旨の所定の操作が前記加熱調理器又は当該候補の外部端末で行われた場合に、当該候補を前記通信対象の外部端末として確定するように構成されていることを特徴とする（第１発明）。
【００１２】
なお、本発明において、「加熱調理器と通信を行い得る」外部端末というのは、より詳しくは、加熱調理器の運転に係る通信を該加熱調理器と行うことができるように、加熱調理器との通信接続を確立し得る外部端末を意味する。
【００１３】
上記第１発明によれば、前記所定の条件に基づいて、前記複数の外部端末から選定された候補（通信対象の外部端末の候補）は、該候補に対するユーザの承認が得られること（詳しくは、ユーザが当該候補を通信対象の外部端末として承認する旨の所定の操作を行うこと）を必要条件として、通信対象の外部端末として確定され、ひいては、加熱調理器との通信接続が確立される。
【００１４】
従って、加熱調理器を使用して調理を行おうとするユーザの外部端末と異なる外部端末と加熱調理器との通信接続がユーザの意図に反して行われることを防止できる。
【００１５】
また、前記候補がユーザの外部端末である場合には、該ユーザは、前記候補を通信対象の外部端末として承認する旨の所定の操作（２者択一的な操作）を行うだけで、該ユーザの外部端末と加熱調理器との通信接続を確立させることができる。
【００１６】
よって、第１発明によれば、加熱調理器を使用して調理を行おうとするユーザの外部端末と、加熱調理器との通信接続を行うことを利便性よく簡易に行うことが可能となる。
【００１７】
上記第１発明では、前記所定の条件として、例えば、前記複数の外部端末のうち、前記加熱調理器に最も近い外部端末を前記候補として選定するという条件を採用し得る（第２発明）。
【００１８】
ここで、加熱調理器を使用して調理を行おうとするユーザは、通常、該加熱調理器に接近した状態で該加熱調理器を使用する。このため、第２発明によれば、前記候補は、加熱調理器を使用して調理を行おうとするユーザの外部端末に一致する蓋然性が高い。従って、多くの場合、ユーザは、前記候補を通信対象の外部端末として承認する旨の所定の操作（２者択一的な操作）を行うだけで、該ユーザの外部端末と加熱調理器との通信接続を確立させることができる。
【００１９】
また、上記第１発明では、前記所定の条件として、例えば、前記複数の外部端末のうち、前記通信対象の外部端末としての使用頻度が最も高い外部端末を前記候補として選定するという条件を採用することもできる（第３発明）。
【００２０】
あるいは、前記所定の条件として、前記複数の外部端末のうち、前記通信対象の外部端末としての使用履歴が最も新しい外部端末を前記候補として選定するという条件を採用することもできる（第４発明）。
【００２１】
なお、第４発明において、前記通信対象の外部端末としての使用履歴が最も新しいというのは、前記通信対象の外部端末として実際に使用した日時が最も新しいことを意味する。
【００２２】
ここで、加熱調理器を使用した調理作業において、自身の外部端末と加熱調理器との通信を行うことを活用した調理作業を頻繁に行うユーザの外部端末は、上記第３発明または第４発明における所定の条件に合致するものとなる蓋然性が高い。
【００２３】
従って、かかるユーザが、加熱調理器を使用して調理を行なおうとした場合、多くの場合、前記候補が該ユーザの外部端末に一致し、ひいては、該ユーザは、前記候補を通信対象の外部端末として承認する旨の所定の操作（２者択一的な操作）を行うだけで、該ユーザの外部端末と加熱調理器との通信接続を確立させることができる。
【００２４】
また、上記第１〜第４発明では、前記所定の条件は、あらかじめ用意された複数の条件のなかから、ユーザにより選定された条件であることが好ましい（第５発明）。
【００２５】
これによれば、ユーザは、該ユーザによる加熱調理器の使用形態を考慮して前記所定の条件を選定できるので、前記候補が、加熱調理器を使用して調理を行おうとするユーザの外部端末に一致する蓋然性を高めることができる。ひいては、該ユーザの外部端末と加熱調理器との通信接続を確立することの利便性をより一層高めることができる。
【００２６】
また、上記第１〜第５発明では、前記通信対象決定部は、前記候補を前記通信対象の外部端末として承認する旨の所定の操作が行われなかった場合には、前記複数の外部端末のうちの一つの外部端末を前記通信対象の外部端末として選択すべき旨を、前記加熱調理器に備えられた報知部から、又は、前記複数の外部端末のそれぞれから、ユーザに対して要求する処理を実行し、該処理に応じてユーザにより選択された一つの外部端末を、前記通信対象の外部端末として確定するように構成されていることが好ましい（第６発明）。
【００２７】
これによれば、前記候補がユーザの外部端末でない場合には、該ユーザは自身の外部端末を前記複数の外部端末のなかから選択して、加熱調理器との通信接続を確立させることができる。
【図面の簡単な説明】
【００２８】
【図１】本発明の実施形態の加熱調理システムの全体構成を示す図。
【図２】実施形態の加熱調理システムの加熱調理器の制御及び通信に係る構成を示すブロック図。
【図３】実施形態の加熱調理システムの加熱調理器の制御装置の処理を示すフローチャート。
【図４】実施形態の加熱調理システムの加熱調理器の制御装置の処理を示すフローチャート。
【図５】図３のフローチャートのＳＴＥＰ１１のサブルーチン処理を示すフローチャート。
【図６】図３のフローチャートのＳＴＥＰ１２のサブルーチン処理を示すフローチャート。
【図７】図５のフローチャートのＳＴＥＰ３２での選択画面の表示例を示す図。
【発明を実施するための形態】
【００２９】
本発明の一実施形態を図１〜図７を参照して以下に説明する。図１を参照して、本実施形態の加熱調理システムＡは、加熱調理器１と、外部端末２０とを含む。加熱調理器１は、例えばガスコンロ（ビルトイン型のガスコンロ）であり、その本体部であるコンロ本体２の上面部（天板）に、左コンロバーナ３Ｌ（以下、左コンロ３Ｌという）、右コンロバーナ３Ｒ（以下、右コンロ３Ｒという）及び後コンロバーナ３Ｂ（以下、後コンロ３Ｂという）の３つのコンロバーナが配置されている。また、コンロ本体２の内部には、図示を省略するグリルバーナを有するグリル庫４が設けられている。左コンロ３Ｌ、右コンロ３Ｒ、後コンロ３Ｂ及びグリルバーナのそれぞれは、その燃焼運転により、調理物もしくは調理容器等の被加熱物を加熱する加熱部である。
【００３０】
コンロ本体２の上面部の後端寄りの箇所には、グリル庫４の排気を行う排気口５が設けられ、コンロ本体２の上面部の前端寄りの箇所には、加熱調理器１の運転に関する各種情報を表示する表示部６が設けられている。表示部６は、本発明における報知部に相当する。
【００３１】
また、コンロ本体２の前面には、左コンロ３Ｌ、右コンロ３Ｒ、後コンロ３Ｂ及びグリルバーナのそれぞれの点火・消火及び火力調節を行うための操作ボタン７Ｌ，７Ｒ，７Ｂ，７Ｇと、加熱調理器１の電源スイッチ８と、グリル庫４を開閉するグリル扉９と、左コンロ３Ｌ、右コンロ３Ｒ及び後コンロ３Ｂのそれぞれを使用した自動調理（湯沸し、炊飯等）もしくは自動消火等に関する種々の操作を行うための開閉式の操作部１０と、グリルバーナを使用した自動調理（魚焼き等）もしくは自動消火等に関する種々の操作を行うための開閉式の操作部１１とが備えられている。
【００３２】
操作ボタン７Ｌ，７Ｒ，７Ｂ，７Ｇのそれぞれの押し操作により、対応するバーナの点火又は消火が行われ、それぞれの回転操作により、対応するバーナの火力調節が行われるようになっている。また、操作部１０，１１のそれぞれは、その押し操作によって開閉し、開状態において、図示を省略する複数の操作スイッチ等が露出するようになっている。
【００３３】
また、図２に示す如く、加熱調理器１（ガスコンロ）には、該加熱調理器１の運転制御等を行う制御装置１５と、外部端末２０との無線通信を行うための無線通信部１６とが搭載されている。無線通信部１６は、例えばBluetooth（登録商標）、Wi-Fi（登録商標）等の無線通信方式で外部端末２０との双方向通信を行い得るように構成されている。
【００３４】
なお、本実施形態では、加熱調理器１の無線通信部１６と、外部端末２０との間の通信を直接的に行うことが可能であるが、当該通信は、加熱調理器１が設置された住戸内に構築されたローカルエリアネットワーク（ホームネットワーク）、あるいは、インターネットもしくは公衆通信網等により構成される外部ネットワーク（広域ネットワーク）を介して間接的に行い得るようになっていてもよい。この場合、加熱調理器１の無線通信部１６と、外部端末２０との間の通信経路の中間部には有線通信経路を含み得る。
【００３５】
制御装置１５は、例えばマイクロコンピュータ、メモリ、インターフェース回路等を含む電子回路ユニットにより構成され、前記表示部６、操作部１０，１１、無線通信部１６と信号線を介して接続されている。
【００３６】
該制御装置１５は、実装されたハードウェア構成とプログラム（ソフトウェア構成）とにより実現される機能として、加熱調理器１の運転制御を行う機能の他、無線通信部１６と外部端末２０との通信接続に関する処理を行う機能を有する。当該機能には、本発明における通信対象決定部１５ａとしての機能が含まれる。そして、制御装置１５は、無線通信部１６と外部端末２０との通信接続を確立した状態では、該外部端末２０との間で、加熱調理器１の運転に係る通信（以降、実体的な通信ということがある）を無線通信部１６を介して行うことが可能となる。
【００３７】
外部端末２０は、例えばスマートフォン、タブレット端末、フィーチャーフォン等の携帯型の通信端末により構成され、加熱調理器１の運転に係る通信を該加熱調理器１と行うためのサービスアプリケーションがあらかじめインストールされている。該サービスアプリケーションは、加熱調理器１のメーカ等により提供されるアプリケーションであり、インターネット上のサーバ等から、適宜、外部端末２０にダウンロードすることが可能である。
【００３８】
上記サービスアプリケーションがインストールされた外部端末２０は、加熱調理器１に対する登録を事前に行っておくことで、該サービスアプリケーションを起動した状態で、加熱調理器１の無線通信部１６との通信接続を確立し、さらには制御装置１５との間で無線通信部１６を介して実体的な通信（加熱調理器１の運転に係る通信）を行うことが可能となる。そして、外部端末２０は、加熱調理器１の制御装置１５との実体的な通信を行うことで、加熱調理器１に自動調理運転（種々の調理メニューのレシピに応じた自動調理運転）を行わせたり、加熱調理器１の運転状態を示す情報を取得することが可能である。
【００３９】
この場合、加熱調理器１には、制御装置１５と実体的な通信を行い得る複数の外部端末２０（加熱調理器１の複数のユーザのそれぞれの外部端末２０）を登録しておくことが可能である。ただし、加熱調理器１の運転時には、登録された複数の外部端末２０のうちのいずれか一つの外部端末２０だけが、無線通信部１６との通信接続を確立し、ひいては、該無線通信部１６を介して制御装置１５と実体的な通信を行うことができるようになっている。
【００４０】
次に、加熱調理器１と外部端末２０との通信に係る具体的な作動を図３〜図７を参照して説明する。
【００４１】
ユーザが加熱調理器１の電源を投入すると（電源スイッチ８をオン操作すると）、該加熱調理器１の制御装置１５等が起動する。このとき、加熱調理器１の制御装置１５は、図３及び図４のフローチャートに示す処理を実行する。
【００４２】
まず、ＳＴＥＰ１において、制御装置１５は、端末登録モードの起動操作（操作部１０又は１１での所定の操作）がユーザによりなされたか否かを判断する。該端末登録モードは、加熱調理器１の制御装置１５との実体的な通信を可能とする外部端末２０（実体的な通信を許可する外部端末２０）を加熱調理器１に対して登録するためのモードである。
【００４３】
加熱調理器１の各ユーザは、自身が所有する外部端末２０を加熱調理器１に登録する場合、該外部端末２０にインストールされているサービスアプリケーションを起動した状態で、端末登録モードの起動操作を行う。このとき、ＳＴＥＰ１の判断結果が肯定的になる。
【００４４】
この場合には、制御装置１５は、ＳＴＥＰ２からの処理を実行する。ＳＴＥＰ２では、制御装置１５は、端末登録モードを起動する。このとき、制御装置１５は、表示部６の表示を端末登録モード用の案内表示に切り替える。
【００４５】
次いで、ＳＴＥＰ３において、制御装置１５は、外部端末２０（以降、単に端末２０ということがある）を登録するための操作（操作部１０又は１１での操作）がユーザによりなされたか否かを逐次判断する。そして、この判断結果が肯定的になると、ＳＴＥＰ４において、加熱調理器１に登録済の端末２０の台数が所定の上限数（例えば７台）よりも少ないか否かを判断する。
【００４６】
このとき、登録済の端末２０の台数が所定の上限数に達していない場合（ＳＴＥＰ４の判断結果が肯定的になる場合）には、制御装置１５は、ＳＴＥＰ５において、ユーザによる登録操作（ＳＴＥＰ３で行われた登録操作）を受け付ける。
【００４７】
このＳＴＥＰ５では、制御装置１５は、より詳しくは、ユーザによる登録操作の対象の端末２０と加熱調理器１の無線通信部１６とのペアリング（通信接続の確立）を行う処理を実行する。ここで、サービスアプリケーションを起動させている端末２０は、加熱調理器１との通信接続が確立していない状態では、自身の識別情報を含む接続要求を逐次送信する。そして、制御装置１５は、上記ペアリングの処理では、端末２０から送信された接続要求を無線通信部１６で受信すると、該接続要求を送信した端末２０と通信接続用のパスワードの授受等を行うことで、該端末２０と無線通信部１６との通信接続を確立する。
【００４８】
次いで、ＳＴＥＰ６において、制御装置１５は、無線通信部１６と端末２０とのペアリングの処理が正常に終了したか否かを判断する。
【００４９】
このＳＴＥＰ６の判断結果が肯定的である場合（ペアリングの処理が正常に終了した場合）には、制御装置１５は、ＳＴＥＰ７において、ペアリングの対象の端末２０の識別情報、該端末２０に係る通信接続用のパスワード等の情報を記憶保持する。これにより該端末２０が加熱調理器１の制御装置１５との実体的な通信を行い得る端末として登録される。
【００５０】
そして、制御装置１５は、ＳＴＥＰ８において、端末登録モードの終了操作（操作部１０又は１１での所定の操作）がユーザによりなされたか否かを判断し、その判断結果が肯定的になると、ＳＴＥＰ９において、端末登録モードを終了する。
【００５１】
一方、前記ＳＴＥＰ４の判断結果が否定的である場合（登録済の端末２０の台数が上限数に達している場合）、あるいは、ＳＴＥＰ６の判断結果が否定的になった場合（通信不良等に起因して前記ペアリングの処理が正常に終了しなかった場合）には、制御装置１５は、ＳＴＥＰ１３からの処理を実行する。
【００５２】
ＳＴＥＰ１３では、制御装置１５は、ユーザが加熱調理器１に登録しようとした端末２０を登録できない旨を、前記表示部６での表示によって、ユーザに視覚的に報知する。なお、当該報知は、例えば音声により聴覚的に行うことも可能である。
【００５３】
さらに、制御装置１５は、ＳＴＥＰ１４において端末登録モードを終了し、その後、加熱調理器１の電源のオフ操作（電源スイッチ８のオフ操作）がユーザによりなされたか否かをＳＴＥＰ１５で逐次判断する。この場合、ユーザが電源スイッチ８のオフ操作をするまでは（ＳＴＥＰ１５の判断結果が否定的に維持される状態では）、ユーザは、適宜、左コンロ３Ｌ、右コンロ３Ｒ、後コンロ３Ｂ、グリルバーナのいずれか使用して調理作業を行うことが可能である。
【００５４】
そして、電源スイッチ８のオフ操作がなされることによって、ＳＴＥＰ１５の判断結果が肯定的になると、制御装置１５は、ＳＴＥＰ１６において、加熱調理器１の電源をオフにする（制御装置１５等に供給させる電源電力を遮断する）。
【００５５】
なお、図３での記載は省略しているが、本実施形態の加熱調理器１では、制御装置１５は、電源スイッチ８のオフ操作がなされた場合に限らず、左コンロ３Ｌ、右コンロ３Ｒ、後コンロ３Ｂ及びグリルバーナの全ての燃焼運転が停止されており、且つ、操作部１０，１１のなんらかの操作が行われない状態が、所定時間継続した場合にも、加熱調理器１の電源を自動的にオフにする。
【００５６】
前記ＳＴＥＰ１の判断結果が否定的である場合（端末登録モードの起動操作がなされない場合）、あるいは、ＳＴＥＰ９で端末登録モードを終了した後、制御装置１５は、次にＳＴＥＰ１０からの処理を実行する。ＳＴＥＰ１０では、制御装置１５は、優先接続端末の選択モードの起動操作（操作部１０又は１１での所定の操作）がユーザによりなされたか否かを判断する。
【００５７】
ここで、優先接続端末の選択モードというのは、加熱調理器１の電源が投入された状態で、サービスプリケーションが起動されている登録済の端末２０（加熱調理器１と通信接続を確立し得る端末２０。以降、単に接続可能端末２０又は接続可能な端末２０という）が、加熱調理器１の周辺に複数存在しており、ひいては、これらの複数の接続可能端末２０のそれぞれから逐次送信される接続要求が加熱調理器１の無線通信部１６で受信される状況において、これらの複数の接続可能端末２０のうちのどの端末２０を、優先的に加熱調理器１の通信対象の端末（優先的に加熱調理器１の無線通信部１６との通信接続を確立すべき端末。以降、優先接続端末という）とすべきかの条件（指針）、換言すれば、優先接続端末とする端末２０が満たすべき条件を、加熱調理器１であらかじめ用意されている複数の条件のなかから、ユーザが選択するためのモードである。
【００５８】
そして、ＳＴＥＰ１０の判断結果が肯定的になった場合（優先接続端末の選択モードの起動操作がなされた場合）には、制御装置１５は、ＳＴＥＰ１１において、優先接続端末に関する上記条件を選択する処理を実行する。
【００５９】
このＳＴＥＰ１１の処理は、具体的には、図５のフローチャートに示す如く実行される。ＳＴＥＰ３１において、制御装置１５は、優先接続端末の選択モードを起動し、さらにＳＴＥＰ３２において、優先接続端末とする端末２０が満たすべき条件を選択するための画面（以降、単に選択画面という）を表示部６に表示させる。
【００６０】
図７は、当該選択画面の一例を示している。図示の如く、本実施形態では、優先接続端末とする端末２０が満たすべき条件は、優先接続端末とすべき端末２０が、接続可能端末２０のうち、加熱調理器１に最も近い端末２０であるという条件を示す「近くにある端末」という条件と、優先接続端末とすべき端末２０が、接続可能端末２０のうち、最も使用頻度が高い端末２０（詳しくは、無線通信部１６との通信接続を確立した頻度が最も高い端末２０）であるという条件を示す「よく使う端末」という条件と、優先接続端末とすべき端末２０が、接続可能端末２０のうち、無線通信部１６との通信接続を確立することを最後に行った時期又は制御装置１５との実体的な通信を最後に行った時期が、現時点に最も近い端末２０であるという条件を示す「使用履歴が最新の端末」という条件と、優先接続端末とすべき端末２０が、加熱調理器１に登録済の端末２０からユーザにより選択される一つの端末２０であるということを示す「登録済の端末」という条件との４種類の条件があらかじめ用意されている。そして、ユーザは、これらの４種類の条件から、優先接続端末とする端末２０が満たすべき条件を選択可能である。
【００６１】
図７に示す例では、ユーザは、加熱調理器１の操作部１０又は１１のアップダウンスイッチの操作によって、黒色のカーソルを上下に動かすことで、所望の条件を強調表示することができる（図示例では所望の条件が、黒色のカーソル内で白抜きの文字で表示される）。そして、所望の条件を強調表示した状態で、操作部１０又は１１の決定操作用の所定の操作スイッチを操作することで、該所望の条件を、優先接続端末とする端末２０が満たすべき条件として選択することができる。
【００６２】
図５の説明に戻って、制御装置１５は、ＳＴＥＰ３２で選択画面を表示部６に表示させた後、ＳＴＥＰ３３において、優先接続端末とする端末２０が満たすべき条件を選択するための選択操作がユーザによりキャンセルされたか否か（当該キャンセルのための操作部１０又は１１の所定の操作がなされたか否か）を判断する。
【００６３】
このＳＴＥＰ３３の判断結果が肯定的である場合（キャンセルの場合）には、制御装置１５は、ＳＴＥＰ３９において、優先接続端末の選択モードを終了し、さらにＳＴＥＰ４０において、表示部６での選択画面の表示をオフにする。これにより、図５の処理（優先接続端末を選択する処理）が終了する。
【００６４】
一方、ＳＴＥＰ３３の判断結果が否定的である場合には、制御装置１５は、次に、ＳＴＥＰ３４〜３７において、前記４種類の条件のうちのいずれかの条件がユーザにより選択されたか否かを判断し、いずれかの条件が未だ選択されていない場合（ＳＴＥＰ３４〜３７の全ての判断結果が否定的となる場合）には、ＳＴＥＰ３３からの処理を継続する。
【００６５】
そして、４種類の条件のうちのいずれかの条件がユーザにより選択された場合（ＳＴＥＰ３４〜３７のいずれかの判断結果が肯定的になった場合）には、制御装置１５は、ＳＴＥＰ３８において、選択された条件を、優先接続端末とする端末２０が満たすべき条件として記憶する。その後、制御装置１５は、前記したＳＴＥＰ３９，４０の処理を実行し、図５の処理（優先接続端末を選択する処理）を終了する。
【００６６】
以上の如く、前記ＳＴＥＰ１１の処理（優先接続端末を選択する処理）では、あらかじめ用意された４種類の条件のうちの一つの条件が、優先接続端末をどの端末２０にすべきかの条件としてユーザにより選定される。
【００６７】
図３に戻って、上記の如くＳＴＥＰ１１の処理を実行した後、制御装置１５は、次に、ＳＴＥＰ１２において、実体的な通信の対象とする端末２０を検索する処理（端末検索処理）を実行する。この端末検索処理は、具体的には図６のフローチャートに示す如く実行される。
【００６８】
ＳＴＥＰ５１において、制御装置１５は、接続可能端末２０（サービスプリケーションが起動されている登録済の端末２０）が有るか否かを判断する。このとき、登録済の全ての端末２０からの接続要求が無線通信部１６で受信されない場合（登録されていない端末２０からの接続要求が無線通信部１６で受信される場合を含む）には、ＳＴＥＰ５１の判断結果が否定的になる。
【００６９】
この場合には、制御装置１５は、ＳＴＥＰ５２において、通信対象の端末２０（詳しくは、無線通信部１６との通信接続を確立して、制御装置１５との実体的な通信を行う端末２０）が無いとして、図６の処理（端末検索処理）を終了する。
【００７０】
ＳＴＥＰ５１で、登録済のいずれかの端末２０からの接続要求が無線通信部１６で受信される場合には、ＳＴＥＰ５１の判断結果が肯定的になる。この場合には、制御装置１５は、優先接続端末とする端末２０が満たすべき条件に基づいて、通信対象の端末２０の候補を自動的に選定する。
【００７１】
具体的には、制御装置１５は、ＳＴＥＰ５３において、優先接続端末とする端末２０が満たすべき条件が「近くにある端末」という条件に設定されているか否かを判断する。そして、この判断結果が肯定的である場合には、制御装置１５は、ＳＴＥＰ５４において、接続可能な各端末２０から無線通信部１６で受信される接続要求の無線通信の電波強度を無線通信部１６を介して検出する。
【００７２】
そして、制御装置１５は、ＳＴＥＰ５５において、接続可能端末２０のうち、電波強度が最も強い端末２０を通信対象の端末２０の候補として設定し、図６の処理（端末検索処理）を終了する。
【００７３】
この場合、無線通信部１６で受信される接続要求の無線通信の電波強度は、該接続要求を送信する端末２０が加熱調理器１に近いほど、強いものとなる。従って、ＳＴＥＰ５５では、加熱調理器１に最も近い接続可能端末２０が通信対象の端末２０の候補として設定されることとなる。なお、現在の接続可能端末２０が１台だけである場合には、制御装置１５は、ＳＴＥＰ５５において、当該１台の接続可能端末２０を通信対象の端末２０の候補として設定する。
【００７４】
ＳＴＥＰ５３の判断結果が否定的である場合には、制御装置１５は、次にＳＴＥＰ５６において、優先接続端末とする端末２０が満たすべき条件が「よく使う端末」という条件に設定されているか否かを判断する。そして、この判断結果が肯定的である場合には、制御装置１５は、ＳＴＥＰ５７において、接続可能な各端末２０の過去の接続回数（現在以前において、各端末２０と無線通信部１６との通信接続を確立した回数）をメモリから読み出す。
【００７５】
ここで、本実施形態では、制御装置１５は、登録済の各端末２０と無線通信部１６とのの通信接続を確立する都度（又は登録済の各端末２０と制御装置１５との実体的な通信が行われる都度）、後述するＳＴＥＰ２５の処理によって、該端末２０の接続回数を累積的にカウントして、各端末２０毎にメモリに記憶保持する。そして、制御装置１５は、このようにして記憶保持した接続回数（接続可能な各端末２０毎の接続回数）をＳＴＥＰ５７で読み出す。なお、該接続回数は、加熱調理器１の設置当初からの累積的な接続回数、あるいは、現在以前の所定期間内での累積的な接続回数のいずれであってもよい。
【００７６】
次いで、制御装置１５は、ＳＴＥＰ５８において、接続可能端末２０のうち、過去の接続回数が最も多い端末２０を、通信対象の端末２０の候補として設定し、図６の処理（端末検索処理）を終了する。なお、現在の接続可能端末２０が１台だけである場合には、制御装置１５は、ＳＴＥＰ５８において、当該１台の接続可能端末２０を通信対象の端末２０の候補として設定する。
【００７７】
ＳＴＥＰ５６の判断結果が否定的である場合には、制御装置１５は、次にＳＴＥＰ５９において、優先接続端末とする端末２０が満たすべき条件が「使用履歴が最新の端末」という条件に設定されているか否かを判断する。そして、この判断結果が肯定的である場合には、制御装置１５は、ＳＴＥＰ６０において、接続可能な各端末２０について、過去に無線通信部１６との通信接続の確立を最後に実行した日時（あるいは、制御装置１５との実体的な通信を最後に実行した日時）を示す履歴情報を図示しないメモリから読み出す。
【００７８】
ここで、本実施形態では、制御装置１５は、登録済の各端末２０と無線通信部１６とのの通信接続を確立する都度（又は登録済の各端末２０と制御装置１５との実体的な通信が行われる都度）、後述するＳＴＥＰ２５の処理によって、該端末２０と無線通信部１６との通信接続を確立した日時（又は該端末２０と制御装置１５との実体的な通信を実行した日時）を示す履歴情報を更新して、各端末２０毎にメモリに記憶保持する。そして、制御装置１５は、このようにして記憶保持した履歴情報をＳＴＥＰ６０で読み出す。
【００７９】
次いで、制御装置１５は、ＳＴＥＰ６１において、接続可能端末２０のうち、履歴情報が最も新しい端末２０（履歴情報により示される日時が最も新しい端末２０）を、通信対象の端末２０の候補として設定し、図６の処理（端末検索処理）を終了する。なお、現在の接続可能端末２０が１台だけである場合には、制御装置１５は、ＳＴＥＰ６１において、当該１台の接続可能端末２０を通信対象の端末２０の候補として設定する。
【００８０】
ＳＴＥＰ５９の判断結果が否定的である場合には、制御装置１５は、次にＳＴＥＰ６２において、優先接続端末とする端末２０が満たすべき条件が「登録済の端末」という条件に設定されているか否かを判断する。そして、この判断結果が肯定的である場合には、制御装置１５は、ＳＴＥＰ６３において、通信対象の端末２０をユーザに選択させるための選択画面を表示部６に表示させる。この選択画面では、登録済の端末２０のうちの現在の接続可能端末２０のリストが表示される。
【００８１】
そして、制御装置１５は、表示部６で表示された接続可能端末２０のリストから、一つの端末２０を選択する操作（操作部１０又は１１での操作）がユーザによりなされたか否かをＳＴＥＰ６４で判断し、この判断結果が否定的である場合には、ＳＴＥＰ６３からの処理を継続する。
【００８２】
また、ＳＴＥＰ６４の判断結果が肯定的になった場合（表示部６で表示された接続可能端末２０のリストから、一つの端末２０を選択する操作がユーザによりなされた場合）には、制御装置１５は、ＳＴＥＰ６５において、当該選択された端末２０を通信対象の端末２０の候補として設定し、図６の処理（端末検索処理）を終了する。なお、現在の接続可能端末２０が１台だけである場合には、当該１台の接続可能端末２０がＳＴＥＰ６４で選択されることとなるので、ＳＴＥＰ６５では結果的に、当該１台の接続可能端末２０が通信対象の端末２０の候補として設定されることとなる。
【００８３】
前記ＳＴＥＰ６２の判断結果が否定的となる状況は、前記ＳＴＥＰ１１で優先接続端末を選択する処理が未だ実行されていないか、もしくは、キャンセルされた状況である。この場合には、制御装置１５は、ＳＴＥＰ６６において、接続可能端末２０のうちの一つの端末２０（例えば、接続要求が最も早期に受信された端末２０）を、通信対象の端末２０の候補として設定し、図６の処理（端末検索処理）を終了する。
【００８４】
以上の如くＳＴＥＰ１２の端末検索処理では、接続可能端末２０が存在する場合に、優先接続端末とする端末２０が満たすべき条件に基づいて、通信対象の端末２０の候補が選定される。なお、ＳＴＥＰ５３，５６，５９，６２の判断処理の順番は、図６に示した順番と異なっていてもよい（任意の順番でよい）。また、現在の接続可能端末２０の台数が１台である場合には、ＳＴＥＰ５３〜６６の処理を省略して、当該１台の接続可能端末２０を通信対象の端末２０の候補として設定するようにしてもよい。
【００８５】
制御装置１５は、図３のＳＴＥＰ１２の端末検索処理を上記の如く実行した後、次に、図４に示すＳＴＥＰ１７において、該端末検索処理により設定された通信対象の端末２０の候補があるか否かを判断する。
【００８６】
この場合、前記ＳＴＥＰ５２において、通信対象の端末２０が無いとされた場合には、ＳＴＥＰ１７の判断結果が否定的になる。この場合には、制御装置１５は、前記したＳＴＥＰ１５からの処理を実行する。すなわち、加熱調理器１の電源のオフ操作がなされると（ＳＴＥＰ１５の判断結果が肯定的になると）、ＳＴＥＰ１６で加熱調理器１の電源をオフにする。
【００８７】
一方、前記ＳＴＥＰ５５，５８，６１，６５，６６のいずれかで通信対象の端末２０の候補が設定された場合には、ＳＴＥＰ１７の判断結果が肯定的になる。
【００８８】
この場合には、制御装置１５は、次に、ＳＴＥＰ１８において、設定された通信対象の端末２０の候補を表示部６に表示する。また、このとき、制御装置１５は、通信対象の端末２０の候補として設定した端末２０に対して（又は全ての接続可能端末２０に対して）、通信対象の端末２０の候補が、ユーザが実体的な通信を行わせようとしている端末２０（通信接続を確立すべき端末２０）として承認され得るものであるか否かをユーザに判断させるための要求を送信する。これに応じて、通信対象の端末２０の候補として設定された端末２０（又は全ての接続可能端末２０のそれぞれ）においては、通信対象の端末２０の候補を承認するか否かを２者択一的に選択し得る画面の表示がなされる。
【００８９】
なお、通信対象の端末２０の候補は、表示部６で表示する代わりに、又は表示部６で表示することに加えて、通信対象の端末２０の候補として設定された端末２０（又は全ての接続可能端末２０のそれぞれ）において、表示されるようにしてもよい。
【００９０】
次いで、制御装置１５は、ＳＴＥＰ１９において、通信対象の端末２０の候補として設定された端末２０からの返信（該候補を承認するか否かを示す返信）を無線通信部１６で受信したか否かを判断し、その判断結果が否定的である場合には、ＳＴＥＰ１８の処理後に、所定時間（例えば３０秒）が経過したか否かをＳＴＥＰ２７で判断する。このＳＴＥＰ２７の判断結果が否定的である場合には、制御装置１５は、ＳＴＥＰ１８からの処理を継続する。
【００９１】
ＳＴＥＰ１９の判断結果が肯定的になった場合（通信対象の端末２０の候補として設定された端末２０からの返信を無線通信部１６で受信した場合）には、制御装置１５は、当該返信の内容が、通信対象の端末２０の候補として設定された端末２０と無線通信部１６との通信接続を確立することを承認するものであるか否か（接続承認の返信であるか否か）をＳＴＥＰ２０で判断する。
【００９２】
このＳＴＥＰ２０の判断結果が肯定的である場合（受信した返信が接続承認の返信であある場合）には、制御装置１５は、通信対象の端末２０の候補が適正なものであるとして、ＳＴＥＰ２１において、該候補の端末２０と無線通信部１６との通信接続を確立する。そして、制御装置１５は、ＳＴＥＰ２２において、該端末２０（通信接続を確立した端末２０）との間で、加熱調理器１の運転に係る実体的な通信を開始する。その後、制御装置１５は、ＳＴＥＰ２３において、端末２０との通信により与えられる指令もしくは調理情報等に基づいて、自動調理等の調理動作を加熱調理器１で実行させる。
【００９３】
また、前記ＳＴＥＰ２７の判断結果が肯定的になった場合（通信対象の端末２０の候補として設定された端末２０からの返信が無いまま、所定時間が経過した場合）、あるいは、ＳＴＥＰ２０の判断結果が否定的になった場合（通信対象の端末２０の候補として設定された端末２０からの返信が、該候補を承認しない旨の返信である場合）には、制御装置１５は、ＳＴＥＰ２８からの処理を実行する。
【００９４】
ＳＴＥＰ２８では、制御装置１５は、現在の接続可能端末２０のリストを表示部６に表示させる。次いで、ＳＴＥＰ２９において、制御装置１５は、接続可能端末２０の中から、ユーザが所望する通信対象の端末２０（制御装置１５と通信接続を確立すべき端末２０）を選択する操作（操作部１０又は１１での操作）がなされたか否かを判断し、該判断結果が否定的である場合には、ＳＴＥＰ２８からの処理を継続する。
【００９５】
また、ＳＴＥＰ２９の判断結果が肯定的になった場合（通信対象の端末２０を選択する操作がユーザによりなされた場合）には、制御装置１５は、前記したＳＴＥＰ２１からの処理を実行する。この場合、ＳＴＥＰ２１では、ＳＴＥＰ２９においてユーザが選択した端末２０と無線通信部１６との通信接続が確立される。
【００９６】
補足すると、本実施形態では、上記ＳＴＥＰ１８〜２１の処理が通信対象決定部１５ａの処理である。
【００９７】
前記ＳＴＥＰ２３の調理動作の実行後、制御装置１５は、ＳＴＥＰ２４において、加熱調理器１の電源のオフ操作（電源スイッチ８のオフ操作）がなされたか否かを逐次判断し、その判断結果が肯定的になった場合には、ＳＴＥＰ２５の処理を実行した後、ＳＴＥＰ２６において、加熱調理器１の電源をオフにする。
【００９８】
上記ＳＴＥＰ２５では、制御装置１５は、電源のオフ操作の直前に制御装置１５との通信接続が行われていた端末２０についての累積的な接続回数をカウントアップ（接続回数を１つ増加）して記憶すると共に、該端末２０と無線通信部１６との通信接続の確立を最後に実行した日時を示す履歴情報（又は該端末２０と制御装置１５との実体的な通信を開始した日時を示す履歴情報）を更新して記憶する。
【００９９】
なお、図４での記載は省略しているが、本実施形態の加熱調理器１では、制御装置１５は、ＳＴＥＰ２３での調理動作の実行後、左コンロ３Ｌ、右コンロ３Ｒ、後コンロ３Ｂ及びグリルバーナの全ての燃焼運転が停止されており、且つ、操作部１０，１１のなんらかの操作が行われない状態が、所定時間継続した場合にも、ＳＴＥＰ２５の処理を実行した後、加熱調理器１の電源を自動的にオフにする。
【０１００】
補足すると、ＳＴＥＰ１２の端末検索処理で、接続可能端末２０が一台だけであった場合には、ＳＴＥＰ１２の処理の後、ＳＴＥＰ１７〜２０及びＳＴＥＰ２７〜２９の処理を省略して、該端末２０と無線通信部１６との通信接続の確立（ＳＴＥＰ２０の処理）を直ちに実行するようにしてもよい。
【０１０１】
以上説明した実施形態によれば、優先接続端末とする端末２０が満たすべき条件として、前記４種類の条件のうちのいずれかの条件がユーザにより設定された状態で、加熱調理器１の運転を開始した場合には、加熱調理器１の周辺でサービスアプリケーションが起動されている登録済の端末２０が複数存在している場合（複数の接続可能端末２０が存在する場合）に、ユーザにより設定された条件に適合する優先接続端末が通信対象の端末２０の候補として自動的に設定される。そして、該候補の端末２０が、加熱調理器１の表示部６あるいはユーザの端末２０を介してユーザに提示される。
【０１０２】
この場合、ユーザが加熱調理器１を使用して調理を行おうとした場合、通常、該ユーザは、加熱調理器１に接近している。このため、優先接続端末とする端末２０が満たすべき条件として、「近くにある端末」という条件が設定されている場合、多くの場合、調理を行うユーザが所有する端末２０は、通信対象の端末２０の候補に一致する。従って、該ユーザは、当該候補の端末２０と制御装置１５との通信接続の確立を承認する操作を行うだけで、自身の端末２０と制御装置１５との間で、加熱調理器１の運転に係る実体的な通信を開始することができる。
【０１０３】
また、自身の端末２０と加熱調理器１の制御装置１５との通信を行うことを頻繁に活用するユーザが、加熱調理器１を使用する場合、該ユーザの端末２０は、多くの場合、前記４種類の条件のうち「よく使う端末」あるいは「使用履歴が最新の端末」という条件に合致する。
【０１０４】
このため、優先接続端末とする端末２０が満たすべき条件として、「よく使う端末」あるいは「使用履歴が最新の端末」という条件が設定されている状況で、上記ユーザ（自身の端末２０と加熱調理器１の制御装置１５との通信を行うことを頻繁に活用するユーザ）が加熱調理器１の運転を開始させた場合には、多くの場合、該ユーザが所有する端末２０は、通信対象の端末２０の候補に一致する。従って、該ユーザは、当該候補の端末２０と制御装置１５との通信接続の確立を承認する操作を行うだけで、自身の端末２０と制御装置１５との間で、加熱調理器１の運転に係る実体的な通信を開始することができる。
【０１０５】
また、優先接続端末とする端末２０が満たすべき条件として、「登録済の端末」という条件が設定されている場合には、加熱調理器１を使用して調理を行おうとするユーザは、接続可能端末２０が自身の端末２０を含めて複数存在する状況であっても、ＳＴＥＰ１２の端末検索処理において、自身の端末２０を通信対象の端末２０の候補として設定することができる。このため、該ユーザは、その後、当該候補の端末２０と制御装置１５との通信接続の確立を承認する操作を行うことで、自身の端末２０と制御装置１５との間で、加熱調理器１の運転に係る実体的な通信を開始することができる。
【０１０６】
また、通信対象の端末２０の候補が、加熱調理器１を使用して調理を行おうとするユーザの端末２０と異なる場合には、該ユーザは、該候補を承認しない旨の操作を行った後に、ＳＴＥＰ２９において、自身の端末２０を選択することで、自身の端末２０と制御装置１５のとの通信接続を確立させて、自身の端末２０と制御装置１５との間で、加熱調理器１の運転に係る実体的な通信を開始することができる。
【０１０７】
以上の如く、本実施形態によれば、加熱調理器１を使用して調理を行おうとするユーザの端末２０と、加熱調理器１の制御装置１５との通信接続を行うことの利便性を高めることができる。
【０１０８】
なお、本発明は上記実施形態に限定されるものではなく、他の実施形態を採用することもできる。以下の他の実施形態をいくつか説明する。
【０１０９】
前記実施形態では、優先接続端末とする端末２０が満たすべき条件を、４種類の条件のうちからユーザが選定し得るようにした。ただし、当該条件は、４種類よりも多い条件、あるいは、４種類よりも少ない条件であってもよい。
【０１１０】
また、例えば、当該条件を１種類のみ（例えば、「近くにある端末」という条件、あるいは、「よく使う端末」という条件、あるいは、「使用履歴が最新の端末」という条件）として、ＳＴＥＰ１２の端末検索処理において、接続可能端末２０が複数存在する場合に、当該１種類の条件に合致する端末２０を通信対象の端末２０の候補として設定してもよい。この場合には、前記ＳＴＥＰ１０，１１の処理は不要である。
【０１１１】
また、前記実施形態では、通信対象の端末２０の候補をユーザが承認するか否かの操作をユーザの端末２０で行い得るようにした。ただし、当該操作を加熱調理器１の操作部１０又は１１で行い得るようにしたり、あるいは、加熱調理器１の操作部１０又は１１と、ユーザの端末２０とのいずれもでも行い得るようにしてもよい。
【０１１２】
また、前記実施形態では、前記ＳＴＥＰ２８において、接続可能端末２０のリストを、加熱調理器１の表示部６で表示するようにした。ただし、例えば、接続可能端末２０のリストを接続可能端末２０のそれぞれで表示させるようにしてもよい。そして、この場合、さらに、接続可能端末２０のそれぞれで、通信対象の端末２０をユーザが選択する操作を行い得るようにしてもよい。
【０１１３】
また、前記実施形態では、ＳＴＥＰ２７の判断結果が肯定的となった場合、又はＳＴＥＰ２０の判断結果が否定的となった場合に、ＳＴＥＰ２８の処理を実行した。ただし、ＳＴＥＰ２８の処理を実行する代わりに、ＳＴＥＰ１２に戻って、端末検索処理を改めて実行するようにしてもよい。そして、この場合のＳＴＥＰ１２では、先にＳＴＥＰ１８で表示した端末２０を、通信対象の端末２０の候補から除外して、端末検索処理を実行するようにしてもよい。
【０１１４】
また、接続可能端末２０が複数である場合において、通信対象の端末を決定する処理では、例えば次のような態様を採用することもできる。すなわち、複数の接続可能端末２０のそれぞれを任意の順番で、通信対象の端末２０の候補として、該候補を加熱調理器１の表示部６又は接続可能端末２０のそれぞれを介してユーザに提示し、該候補を承認するか否かをユーザに選択させる。そして、ユーザが承認した候補の端末２０を通信対象の端末２０として決定する。
【０１１５】
また、前記実施形態では、加熱調理器１としてガスコンロを例にとって説明した。ただし、本発明における加熱調理器は、ガスコンロに限らず、ＩＨヒータ等の電気式の加熱部を備える加熱調理器であってもよく、あるいは、オーブン、電子レンジ、炊飯器等の加熱調理器であってもよい。
【符号の説明】
【０１１６】
Ａ…加熱調理システム、１…加熱調理器、６…表示部（報知部）、１５ａ…通信対象決定部、２０…外部端末。
【図１】
2019060511.tif 000003
【図２】
2019060511.tif 000004
【図３】
2019060511.tif 000005
【図４】
2019060511.tif 000006
【図５】
2019060511.tif 000007
【図６】
2019060511.tif 000008
【図７】
2019060511.tif 000009